(57)【要約】      （修正有）【課題】コンテンツの利用をより促進することができる情報処理装置、情報処理方法および情報処理プログラムを提供する。【解決手段】本情報処理方法において、情報処理装置は、取得部と、表示制御部とを備える。取得部は、ユーザが保有する特典に関する特典情報を取得する。表示制御部は、取得部が取得した特典情報に基づき、ユーザが特典で利用可能な利用可能な商品および／またはサービスに関する情報をユーザが利用する端末装置に表示させる。【選択図】図７
2019091119.tif 000002
【特許請求の範囲】
【請求項１】
ユーザが保有する特典に関する特典情報を取得する取得部と、
前記取得部が取得した前記特典情報に基づき、前記ユーザが前記特典で利用可能な商品および／またはサービスに関する情報を前記ユーザが利用する端末装置に表示させる表示制御部と、
を備えることを特徴とする情報処理装置。
【請求項２】
前記表示制御部は、
前記商品および／またはサービスとしてコンテンツに関する前記情報を前記ユーザが利用する端末装置に表示させること
を特徴とする請求項１に記載の情報処理装置。
【請求項３】
前記表示制御部は、
前記商品および／またはサービスとしてデジタルコンテンツに関する前記情報を前記ユーザが利用する端末装置に表示させること
を特徴とする請求項１または２に記載の情報処理装置。
【請求項４】
前記表示制御部は、
前記情報を前記端末装置の画面に表示させること
を特徴とする請求項１、２または３に記載の情報処理装置。
【請求項５】
前記表示制御部は、
前記情報を、所定の基準に基づく順位に応じて前記端末装置に表示させること
を特徴とする請求項１〜４のいずれか一項に記載の情報処理装置。
【請求項６】
前記表示制御部は、
前記情報を、前記ユーザに関するユーザ情報に応じて前記端末装置に表示させること
を特徴とする請求項１〜５のいずれか一項に記載の情報処理装置。
【請求項７】
前記表示制御部は、
前記ユーザが無料で利用可能な商品および／またはサービスに関する無料情報が表示される画面に、前記情報を表示させること
を特徴とする請求項１〜６のいずれか一項に記載の情報処理装置。
【請求項８】
前記表示制御部は、
前記ユーザに関するユーザ情報に基づいて前記端末装置における前記情報の表示位置を変更すること
を特徴とする請求項１〜７のいずれか一項に記載の情報処理装置。
【請求項９】
前記表示制御部は、
前記特典の有効期限に応じて前記端末装置における前記情報の表示位置を変更すること
を特徴とする請求項１〜８のいずれか一項に記載の情報処理装置。
【請求項１０】
前記表示制御部は、
前記ユーザによる前記端末装置の操作によらず、前記端末装置で出力されるプッシュ通知として前記情報を表示させること
を特徴とする請求項１〜９のいずれか一項に記載の情報処理装置。
【請求項１１】
前記表示制御部は、
前記特典が一定値以上である場合、前記情報を表示させないこと
を特徴とする請求項１〜１０のいずれか一項に記載の情報処理装置。
【請求項１２】
前記表示制御部は、
前記ユーザによる前記端末装置の操作に応じて、前記情報の表示を停止すること
を特徴とする請求項１〜１１のいずれか一項に記載の情報処理装置。
【請求項１３】
前記表示制御部は、
前記情報の表示を停止してから一定期間経過した場合に、前記情報の表示を再開すること
を特徴とする請求項１２に記載の情報処理装置。
【請求項１４】
情報処理装置が実行する情報処理方法であって、
ユーザが保有する特典に関する特典情報を取得する取得工程と、
前記取得工程で取得した前記特典情報に基づき、前記ユーザが前記特典で利用可能な商品および／またはサービスに関する情報を前記ユーザが利用する端末装置に表示させる表示制御工程と、
を含むことを特徴とする情報処理方法。
【請求項１５】
ユーザが保有する特典に関する特典情報を取得する取得手順と、
前記取得手順によって取得した前記特典情報に基づき、前記ユーザが前記特典で利用可能な商品および／またはサービスに関する情報を前記ユーザが利用する端末装置に表示させる表示制御手順と、
をコンピュータに実行させることを特徴とする情報処理プログラム。
【発明の詳細な説明】
【技術分野】
【０００１】
本発明は、情情報処理装置、情報処理方法および情報処理プログラムに関する。
【背景技術】
【０００２】
従来、例えば無料コンテンツと有料コンテンツとをユーザに提供するサービスに関する技術が知られている。かかる技術では、無料コンテンツを利用するユーザにメールで有料コンテンツの利用を促すことで、有料コンテンツの販売を促進している。
【先行技術文献】
【特許文献】
【０００３】
【特許文献１】特開２０１６−１６７２８０号公報
【発明の概要】
【発明が解決しようとする課題】
【０００４】
しかしながら、従来技術ではコンテンツの利用をより促進するという点で改善の余地がある。例えば、上述したようにメールで有料コンテンツの利用を促すと、有料コンテンツの購入に積極的でないユーザに煩わしさを与えてしまう可能性がある。
【０００５】
本願は、上記に鑑みてなされたものであって、コンテンツの利用をより促進することができる情報処理装置、情報処理方法および情報処理プログラムを提供することを目的とする。
【課題を解決するための手段】
【０００６】
本願にかかる情報処理装置は、取得部と、表示制御部とを備える。取得部は、ユーザが保有する特典に関する特典情報を取得する。表示制御部は、前記取得部が取得した前記特典情報に基づき、前記ユーザが前記特典で利用可能な商品および／またはサービスに関する情報を前記ユーザが利用する端末装置に表示させる。
【発明の効果】
【０００７】
実施形態の一態様によれば、コンテンツの利用をより促進することができるという効果を奏する。
【図面の簡単な説明】
【０００８】
【図１】図１は、実施形態にかかる情報処理方法の一例を示す図である。
【図２】図２は、実施形態にかかる全体システムの構成例を示す図である。
【図３】図３は、実施形態にかかるポイント管理サーバの構成例を示す図である。
【図４】図４は、実施形態にかかるポイント情報記憶部の一例を示す図である。
【図５】図５は、実施形態にかかる有料コンテンツ管理サーバの構成例を示す図である。
【図６】図６は、実施形態にかかる有料動画情報記憶部の一例を示す図である。
【図７】図７は、実施形態にかかる情報処理装置の構成例を示す図である。
【図８】図８は、実施形態にかかるユーザ情報記憶部の一例を示す図である。
【図９】図９は、実施形態にかかる表示制御部が端末装置に表示させる画像の一例を示す図である。
【図１０】図１０は、実施形態にかかる情報処理装置が実行する情報表示処理の処理手順を示すフローチャートである。
【図１１】図１１は、情報処理装置の機能を実現するコンピュータの一例を示すハードウェア構成図である。
【発明を実施するための形態】
【０００９】
以下に本願にかかる情報処理装置、情報処理方法および情報処理プログラムを実施するための形態（以下、「実施形態」と呼ぶ）について図面を参照しつつ詳細に説明する。なお、この実施形態により本願にかかる情報処理装置、情報処理方法および情報処理プログラムが限定されるものではない。また、以下の各実施形態において同一の部位には同一の符号を付し、重複する説明は省略される。
【００１０】
〔１．情報処理方法〕
まず、図１を用いて、実施形態にかかる情報処理方法の一例について説明する。図１は、実施形態にかかる情報処理方法の一例を示す図である。実施形態にかかる情報処理方法は、図１に示す情報処理装置２０で実行される。図１では、端末装置１０−１に、情報処理装置２０が提供するコンテンツ提供サービスを利用するためのアプリがインストール済みであるものとする。図１の例では、端末装置１０−１にインストールされた動画アプリにユーザＩＤ「Ｕ１」により識別されるユーザ（以下、「ユーザＵ１」とする場合がある）がログインしている場合を示す。
【００１１】
また、図１では、情報処理装置２０が、コンテンツ提供サービスとして、例えば無料の動画コンテンツ（以下、「無料動画」ともいう）と、有料の動画コンテンツ（以下「有料動画」ともいう）とをユーザに提供しているものとする。なお、ここでは、有料動画の価格帯にばらつきがなく、似たような価格帯であって、比較的安価（数百円程度）であるものとする。また、端末装置１０−１にインストールされているコンテンツ提供サービスを利用するためのアプリを、以下、動画アプリともいう。
【００１２】
また、図１では、ポイント管理サーバ３０によってユーザＵ１に付与されたポイントが管理されているものとする。かかるポイントは、例えばユーザＵ１が商品を購入したり、サービスを利用したりした場合に、利用金額や利用回数等に応じて付与されるものである。かかるポイントは、ポイント数に応じて、例えば動画や音楽などデジタルコンテンツの購入といった商品の購入やサービスの利用に用いることができる。
【００１３】
まず、図１の例では、ユーザＵ１が動画アプリを起動すると、情報処理装置２０は、ポイント管理サーバ３０からユーザＵ１が保有するポイントに関するポイント情報を取得する（ステップＳ１）。次に、情報処理装置２０は、ユーザＵ１が無料で利用できる無料動画の一覧とともに、ポイント管理サーバ３０から取得したポイント情報に基づいてユーザＵ１がポイントで利用可能な商品（ここでは、有料動画）の一覧を含む画面を、端末装置１０−１に表示させる（ステップＳ２）。
【００１４】
例えば、無料動画の視聴サービスを利用しているユーザの中には、有料動画の購入に積極的でないユーザもいる。かかるユーザが利用する端末装置１０−１の画面に、有料動画の購入を促進するため、情報処理装置２０が単に有料動画の一覧を表示させると、ユーザが有料動画の一覧を煩わしく感じ、例えば動画提供サービスの利用自体をやめてしまう可能性もある。
【００１５】
そこで、本実施形態にかかる情報処理方法では、情報処理装置２０は、単に有料動画の一覧を端末装置１０−１に表示させるのではなく、例えばユーザＵ１が保有するポイントで利用可能な有料動画の一覧を端末装置１０−１に表示させる。
【００１６】
このように、ポイントで利用可能な有料動画一覧を表示させることで、金銭を支払って有料動画を購入する場合に比べて、ユーザＵ１の有料動画の購入に対する抵抗感を低くすることができる。また、上述したように、デジタルコンテンツ（ここでは有料動画）は比較的安価であるため、ユーザＵ１がポイントで購入可能な有料動画の選択肢が多く、ユーザＵ１にとって所有するポイントで有料動画を購入しやすい。したがって、ユーザＵ１の煩わしさを低減し、有料動画の販売をより促進することができる。また、図４等を用いて後述するように、ポイントに有効期限がある場合、比較的安価な有料動画は、ポイントを有効期限前に使用したいユーザにとって利用しやすく、ポイントで利用可能な有料動画一覧を表示させることで、有料動画の販売をより促進することができる。
【００１７】
なお、ここでは、ユーザＵ１のポイントで利用可能な有料動画の一覧を端末装置１０−１に表示させるとしたが、一覧として表示させるコンテンツは有料動画に限定されない。一覧として表示させるコンテンツはデジタルコンテンツであればよく、例えば、有料動画以外にも音楽ファイルやアプリ、電子書籍などであってもよい。
【００１８】
また、ここでは、ユーザＵ１のポイントで利用可能な有料動画の一覧を端末装置１０−１に表示させるとしたが、有料動画の購入にはポイント以外の特典を利用してもよい。例えば１０００円以下の有料動画１つと引き替えられる引換券や、２０００円分の有料動画の購入に利用できる商品券といった特典で利用可能な有料動画の一覧を表示させるようにしてもよい。
【００１９】
〔２．全体システムＳの構成〕
次に、図２を用いて、実施形態にかかるシステムの構成について説明する。図２は、実施形態にかかる全体システムＳの構成例を示す図である。図２に示すように、実施形態にかかる全体システムＳは、ユーザＵ１、Ｕ２・・・によって利用される端末装置１０−１、１０−２・・・と、情報処理装置２０と、ポイント管理サーバ３０と、有料コンテンツ管理サーバ４０と、無料コンテンツ管理サーバ５０とを有する。
【００２０】
端末装置１０−１、１０−２・・・と、情報処理装置２０と、ポイント管理サーバ３０と、有料コンテンツ管理サーバ４０と、無料コンテンツ管理サーバ５０とは、ネットワークを介して有線または無線により通信可能に接続される。なお、実施形態にかかる全体システムＳには、情報処理装置２０、ポイント管理サーバ３０、有料コンテンツ管理サーバ４０および無料コンテンツ管理サーバ５０がそれぞれ複数含まれてよい。
【００２１】
また、ユーザＵ１、Ｕ２・・・を区別しない場合には、単にユーザＵと表記し、端末装置１０−１、１０−２・・・を区別しない場合には、単に端末装置１０と表記する場合がある。
【００２２】
端末装置１０は、ディスプレイ（モニタ）を有する情報処理装置（コンピュータ）であり、例えばスマートフォンや、タブレット型端末や、ノート型ＰＣ（Personal  Computer）や、デスクトップＰＣや、携帯電話機や、ＰＤＡ（Personal  Digital  Assistant）等が含まれる。
【００２３】
情報処理装置２０は、端末装置１０を利用するユーザＵに動画提供サービスを提供する装置である。例えば、情報処理装置２０は、端末装置１０を利用するユーザに動画アプリに関する動画提供サービスを提供する。
【００２４】
具体的に、情報処理装置２０は、動画として例えば無料動画を提供する無料動画提供サービスまたは有料動画を提供する有料動画提供サービスを提供する。例えば、情報処理装置２０は、端末装置１０にインストールされた無料動画アプリＡ１が起動された場合に、端末装置１０を利用するユーザＵに無料動画提供サービスを提供する。例えば、情報処理装置２０は、端末装置１０に無料動画アプリＡ１に関する各種情報を提供する。
【００２５】
また、情報処理装置２０は、例えば端末装置１０にインストールされた有料動画アプリＡ２が起動された場合に、端末装置１０を利用するユーザＵに有料動画提供サービスを提供する。例えば、情報処理装置２０は、端末装置１０に有料動画アプリＡ２に関する各種情報を提供する。
【００２６】
なお、ここでは、情報処理装置２０が、無料動画アプリＡ１または有料動画アプリＡ２ごとに無料動画または有料動画の提供サービスを行うものとしたが、これに限定されない。情報処理装置２０が、例えば端末装置１０にインストールされた動画アプリが起動された場合に、端末装置１０を利用するユーザＵに無料動画および有料動画の提供サービスを提供するようにしてもよい。あるいは、情報処理装置２０が無料動画提供サービスを提供し、有料動画提供サービスは不図示の他の情報処理装置が提供するようにしてもよい。
【００２７】
なお、実施形態では、端末装置１０にインストールされた無料動画アプリＡ１または有料同場アプリＡ２が起動された場合に、情報処理装置２０が、有料動画または無料動画の提供サービスを提供するとして説明するが、これに限定されない。例えば、端末装置１０から有料動画または無料動画の提供サービスにかかるウェブサイトの配信を受け付けた場合に、情報処理装置２０が、かかるウェブサイトを端末装置１０に提供することで、有料動画または無料動画の提供サービスを提供するようにしてもよい。この場合、端末装置１０には例えばブラウザがインストールされており、情報処理装置２０は、端末装置１０のブラウザからのアクセスがあると、端末装置１０によって指定されたＵＲＬ（Uniform  Resource  Locator）に対応する動画提供サービスにかかるウェブサイトを提供する。
【００２８】
ポイント管理サーバ３０は、ユーザＵが保有するポイントを管理する情報処理装置である。ポイント管理サーバ３０は、例えばユーザＵが商品を購入したり、サービスを利用したりした場合に付与されるポイントを管理する。
【００２９】
有料コンテンツ管理サーバ４０は、情報処理装置２０がデジタルコンテンツ（例えば、有料動画）の提供サービスでユーザＵに提供する有料動画を管理する情報処理装置である。また、無料コンテンツ管理サーバ５０は、情報処理装置２０がデジタルコンテンツ（例えば、無料動画）の提供サービスでユーザＵに提供する無料動画を管理する情報処理装置である。なお、有料動画および無料動画を１つのサーバ（例えば、動画管理サーバ）で管理するようにしてもよく、情報処理装置２０が有料動画および無料動画を管理するようにしてもよい。
【００３０】
〔３．ポイント管理サーバ３０の構成〕
続いて、図３を用いて、実施形態にかかるポイント管理サーバ３０について説明する。図３は、実施形態にかかるポイント管理サーバ３０の構成例を示す図である。図３に示すように、ポイント管理サーバ３０は、通信部３１０と、記憶部３２０と、制御部３３０とを備える。
【００３１】
〔３．１．通信部３１０〕
通信部３１０は、例えば、通信回路等によって実現される。そして、通信部３１０は、不図示の所定の通信網と有線または無線で接続され、外部の情報処理装置との間で情報の送受信を行う。例えば、通信部３１０は、所定のネットワーク（図２参照）と有線または無線で接続され、情報処理装置２０との間で情報の送受信を行う。
【００３２】
〔３．２．記憶部３２０〕
記憶部３２０は、例えば、ＲＡＭ（Random  Access  Memory）、フラッシュメモリ（Flash  Memory）等の半導体メモリ素子、または、ハードディスク、光ディスク等の記憶装置によって実現される。記憶部３２０は、例えば、ポイント管理サーバ３０にインストールされているアプリケーションに関する情報、例えばプログラム等を記憶する。また、実施形態にかかる記憶部３２０は、図３に示すように、ポイント情報記憶部３２１を有する。
【００３３】
〔３．２．１．ポイント情報記憶部３２１〕
実施形態にかかるポイント情報記憶部３２１は、ユーザＵに付与されるポイントに関する各種情報を記憶する。図４は、実施形態にかかるポイント情報記憶部３２１の一例を示す図である。図４に示すポイント情報記憶部３２１は、「ユーザＩＤ」、「ポイント」、「有効期限」といった項目を有する。
【００３４】
「ユーザＩＤ」は、ポイントが付与されたユーザＵを識別するための識別情報を示す。なお、かかるユーザＵは、上述した動画提供サービスを利用するユーザに限られない。ユーザＵは、ポイントサービスを利用するユーザであればよく、動画提供サービスを利用しないユーザも含まれるものとする。
【００３５】
「ポイント」は、ユーザＵに付与されたポイントを示す情報である。図４では、例えばユーザＩＤが「Ｕ１」であるユーザに「６７０」ポイントが付与されていることを示している。また、ポイントには、付与されてから１年等使用できる期限が設けられている場合があり、「有効期限」は、かかる使用期限を示す情報である。なお、図４のユーザＩＤ「Ｕ１」に付与された「９６７」ポイントのように、有効期限が設定されていない場合もある。
【００３６】
〔３．３．制御部３３０〕
図３に戻り、制御部３３０は、コントローラ（controller）であり、例えば、ＣＰＵ（Central  Processing  Unit）やＭＰＵ（Micro  Processing  Unit）等によって、ポイント管理サーバ３０内部の記憶部３２０などの記憶装置に記憶されている各種プログラムがＲＡＭを作業領域として実行されることにより実現される。例えば、この各種プログラムは、表示処理を行うアプリケーションのプログラムが含まれる。また、制御部３３０は、コントローラであり、例えば、ＡＳＩＣ（Application  Specific  Integrated  Circuit）やＦＰＧＡ（Field  Programmable  Gate  Array）等の集積回路により実現される。
【００３７】
図３に示すように、制御部３３０は、ポイント処理部３３１と、通知部３３２とを有し、以下に説明する処理の機能や作用を実現または実行する。なお、制御部３３０の内部構成は、図３に示した構成に限られず、後述する表示処理を行う構成であれば他の構成であってもよい。また、制御部３３０が有する各処理部の接続関係は、図３に示した接続関係に限られず、他の接続関係であってもよい。
【００３８】
〔３．３．１．ポイント処理部３３１〕
ポイント処理部３３１は、ユーザＵに付与されたポイントに関する処理を行う。例えば、ユーザＵに対して、商品の購入やサービスの利用によってポイントが付与された場合、ポイント情報記憶部３２１に記憶されたポイントに付与されたポイントを加算する。なお、ポイントは、有効期限ごとに加算されるものとする。また、ポイントがユーザＵによって利用された場合、ポイント処理部３３１は、ポイント情報記憶部３２１に記憶されたポイントから利用されたポイントを減算する。なお、例えばポイントは有効期限が短いものから順に減算されるものとする。
【００３９】
なお、例えば付与されたポイントに関する情報や、ユーザＵに利用されたポイントに関する情報等、ポイント処理部３３１が処理するポイントに関する情報は、通信部３１０を介して、ポイントの付与やポイントを利用可能なサービス等を提供する情報処理装置（不図示）から通知されるものとする。
【００４０】
〔３．３．２．通知部３３２〕
通知部３３２は、情報処理装置２０（図２参照）からの要求に応じて、ユーザＵのポイントに関するポイント情報を情報処理装置２０に通知する。例えば、情報処理装置２０からユーザＵ１のポイント情報の要求があった場合、通知部３３２は、ポイント情報記憶部３２１を参照し、ユーザＵ１に関するポイント情報を、通信部３１０を介して情報処理装置２０に通知する。
【００４１】
〔４．有料コンテンツ管理サーバ４０の構成〕
続いて、図５を用いて、実施形態にかかる有料コンテンツ管理サーバ４０について説明する。図５は、実施形態にかかる有料コンテンツ管理サーバ４０の構成例を示す図である。図５に示すように、有料コンテンツ管理サーバ４０は、通信部４１０と、記憶部４２０と、制御部４３０とを備える。
【００４２】
〔４．１．通信部４１０〕
通信部４１０は、例えば、通信回路等によって実現される。そして、通信部４１０は、不図示の所定の通信網と有線または無線で接続され、外部の情報処理装置との間で情報の送受信を行う。例えば、通信部４１０は、所定のネットワーク（図２参照）と有線または無線で接続され、情報処理装置２０との間で情報の送受信を行う。
【００４３】
〔４．２．記憶部４２０〕
記憶部４２０は、例えば、ＲＡＭ（Random  Access  Memory）、フラッシュメモリ（Flash  Memory）等の半導体メモリ素子、または、ハードディスク、光ディスク等の記憶装置によって実現される。記憶部４２０は、例えば、有料コンテンツ管理サーバ４０にインストールされているアプリケーションに関する情報、例えばプログラム等を記憶する。また、実施形態にかかる記憶部４２０は、図５に示すように、有料動画情報記憶部４２１を有する。
【００４４】
〔４．２．１．有料動画情報記憶部４２１〕
有料動画情報記憶部４２１は、有料動画提供サービスで提供される有料動画に関する情報を記憶する。図６は、実施形態にかかる有料動画情報記憶部４２１の一例を示す図である。図６に示す有料動画情報記憶部４２１は、「動画ＩＤ」、「価格」、「動画情報」といった項目を有する。「動画情報」は「動画」、「ジャンル」、「サムネイル」、「ランキング」といった項目が含まれる。
【００４５】
なお、「動画情報」には上記に限らず、種々の情報が記憶されてもよい。例えば、「ジャンル」の「部分ジャンル」等の階層的なジャンルが記憶されてもよい。例えば、ジャンル「音楽」の部分ジャンルには「ロック」や「ジャズ」等のジャンルを細分化する情報が記憶されてもよい。また、「部分ジャンル」の「第２部分ジャンル」として、具体的なアーティスト名等が記憶されてもよい。例えば、ジャンル「映画」の部分ジャンルには「アクション」や「ＳＦ」等のジャンルを細分化する情報が記憶されてもよい。また、「部分ジャンル」の「第２部分ジャンル」として、具体的な俳優名等が記憶されてもよい。
【００４６】
「動画ＩＤ」は、動画コンテンツを識別するための識別情報を示す。「価格」は、有料動画の販売価格を示す。「動画」には、動画コンテンツに関する情報が記憶される。図６では「動画」に「Ａコンテンツ」といった概念的な情報が格納される例を示したが、例えば、有料コンテンツ管理サーバ４０（記憶部４２０）内に動画情報を記憶する場合、動画情報、または、その格納場所を示すファイルパス名などが格納される。また、例えば、有料コンテンツ管理サーバ４０が、ストリーミング方式やプログレッシブダウンロード方式等により、有料動画配信サービスを提供する場合、「動画」に記憶される情報は、配信される動画に対応するＵＲＬ（Uniform  Resource  Locator）等であってもよい。
【００４７】
「ジャンル」は、動画のジャンルを示す。例えば、「ジャンル」は、動画が属するカテゴリ（分類）を示す。「サムネイル」は、動画コンテンツのサムネイルを示す。図６では「サムネイル」に「ＴＮ１１」といった概念的な情報が格納される例を示したが、実際には、サムネイルの画像情報、または、その格納場所を示すファイルパス名などが格納される。なお、サムネイルは、動画形式のサムネイルであってもよい。
【００４８】
「ランキング」は、各動画のランキング（順位）を示す。例えば、「ランキング」は、所定の基準に基づく各動画のランキングを示す。例えば、「ランキング」は、各動画の購入数ランキングを示す。例えば、有料動画を購入したユーザＵの数が多いほど高いランキングが決定される。
【００４９】
〔４．３．制御部４３０〕
図５に戻り、制御部４３０は、コントローラ（controller）であり、例えば、ＣＰＵ（Central  Processing  Unit）やＭＰＵ（Micro  Processing  Unit）等によって、有料コンテンツ管理サーバ４０内部の記憶部４２０などの記憶装置に記憶されている各種プログラムがＲＡＭを作業領域として実行されることにより実現される。例えば、この各種プログラムは、表示処理を行うアプリケーションのプログラムが含まれる。また、制御部４３０は、コントローラであり、例えば、ＡＳＩＣ（Application  Specific  Integrated  Circuit）やＦＰＧＡ（Field  Programmable  Gate  Array）等の集積回路により実現される。
【００５０】
図５に示すように、制御部４３０は、通知部４３１を有し、以下に説明する処理の機能や作用を実現または実行する。なお、制御部４３０の内部構成は、図５に示した構成に限られず、後述する表示処理を行う構成であれば他の構成であってもよい。また、制御部４３０が有する各処理部の接続関係は、図５に示した接続関係に限られず、他の接続関係であってもよい。
【００５１】
〔４．３．１．通知部４３１〕
通知部４３１は、情報処理装置２０（図２参照）からの要求に応じて、有料動画に関する有料動画情報（コンテンツ情報）を情報処理装置２０に通知する。例えば、情報処理装置２０から価格が所定価格以下の有料動画に関する情報の通知要求があった場合、通知部４３１は、有料動画情報記憶部４２１を参照し、所定価格以下の有料動画に関する有料動画情報を、通信部４１０を介して情報処理装置２０に通知する。
【００５２】
なお、無料コンテンツ管理サーバ５０の構成は、動画の価格を管理しているか否かを除き、図５の有料コンテンツ管理サーバ４０の構成と同じであるため、図示および説明を省略する。
【００５３】
〔５．情報処理装置２０の構成〕
続いて、図７を用いて、実施形態にかかる情報処理装置２０について説明する。図７は、実施形態にかかる情報処理装置２０の構成例を示す図である。図７に示すように、情報処理装置２０は、通信部２１０と、記憶部２２０と、制御部２３０とを備える。
【００５４】
〔５．１．通信部２１０〕
通信部２１０は、例えば、通信回路等によって実現される。そして、通信部２１０は、不図示の所定の通信網と有線または無線で接続され、外部の情報処理装置との間で情報の送受信を行う。例えば、通信部２１０は、所定のネットワーク（図２参照）と有線または無線で接続され、端末装置１０、ポイント管理サーバ３０、有料コンテンツ管理サーバ４０および無料コンテンツ管理サーバ５０との間で情報の送受信を行う。
【００５５】
〔５．２．記憶部２２０〕
記憶部２２０は、例えば、ＲＡＭ（Random  Access  Memory）、フラッシュメモリ（Flash  Memory）等の半導体メモリ素子、または、ハードディスク、光ディスク等の記憶装置によって実現される。記憶部２２０は、例えば、情報処理装置２０にインストールされているアプリケーションに関する情報、例えばプログラム等を記憶する。また、実施形態にかかる記憶部２２０は、図７に示すように、ユーザ情報記憶部２２１を有する。
【００５６】
〔５．２．１．ユーザ情報記憶部２２１〕
実施形態にかかるユーザ情報記憶部２２１は、例えば無料動画提供サービスを利用するユーザＵに関する情報を記憶する。図８は、実施形態にかかるユーザ情報記憶部２２１の一例を示す図である。図８に示すユーザ情報記憶部２２１は、「ユーザＩＤ」、「属性情報」、「視聴履歴」、「有料動画購入有無」といった項目を有する。
【００５７】
ユーザＩＤは、無料動画サービスの提供を受けるユーザＵを識別するための識別情報を示す。また、「属性情報」は、ユーザＵの年齢や性別等の属性情報を示す。「視聴履歴」は、ユーザＵが過去に視聴した無料動画を示す情報が記憶される。例えば、「視聴履歴」として、ユーザＵが過去に視聴した無料動画を示す動画ＩＤが記憶される。なお、「視聴履歴」には、無料動画だけでなく有料動画の視聴履歴が含まれていてもよい。
【００５８】
「有料動画購入有無」は、ユーザＵが過去に有料動画を購入したことがあるか否かを示す情報が記憶される。例えば、ユーザＵが過去に有料動画を購入したことがあれば「有」が記憶され、購入したことがなければ「無」が記憶される。なお、「視聴履歴」に有料動画の視聴履歴が含まれる場合は、「有料動画購入有無」の項目を省略してもよい。
【００５９】
〔５．３．制御部２３０〕
図７に戻り、制御部２３０は、コントローラ（controller）であり、例えば、ＣＰＵ（Central  Processing  Unit）やＭＰＵ（Micro  Processing  Unit）等によって、情報処理装置２０内部の記憶部２２０などの記憶装置に記憶されている各種プログラムがＲＡＭを作業領域として実行されることにより実現される。例えば、この各種プログラムは、表示処理を行うアプリケーションのプログラムが含まれる。また、制御部２３０は、コントローラであり、例えば、ＡＳＩＣ（Application  Specific  Integrated  Circuit）やＦＰＧＡ（Field  Programmable  Gate  Array）等の集積回路により実現される。
【００６０】
図７に示すように、制御部２３０は、第１〜第３取得部２３１〜２３３と、表示制御部２３４とを有し、以下に説明する処理の機能や作用を実現または実行する。なお、制御部２３０の内部構成は、図７に示した構成に限られず、後述する表示処理を行う構成であれば他の構成であってもよい。また、制御部２３０が有する各処理部の接続関係は、図７に示した接続関係に限られず、他の接続関係であってもよい。
【００６１】
〔５．３．１．第１取得部２３１〕
第１取得部２３１は、ポイント管理サーバ３０からユーザＵが保有するポイントに関するポイント情報を取得する。例えば、ユーザＵ１が利用する端末装置１０−１にインストールされた無料動画アプリＡ１が起動されると、第１取得部２３１は、ポイント管理サーバ３０に対してユーザＵ１のポイント情報の通知を要求する。
【００６２】
ポイント管理サーバ３０は、第１取得部２３１からポイント情報の通知要求を受け取ると、ポイント情報記憶部３２１（図３参照）を参照し、ユーザＵ１のポイント情報を第１取得部２３１に通知する。
【００６３】
第１取得部２３１は、ポイント管理サーバ３０からユーザＵ１のポイント情報の通知を受け取ると、受け取ったポイント情報を第２取得部２３２に通知する。なお、ポイント情報には、少なくともユーザＵ１が保有するポイントとかかるポイントの有効期限が含まれるものとする。
【００６４】
〔５．３．２．第２取得部２３２〕
第２取得部２３２は、第１取得部２３１が取得したポイント情報に基づき、ユーザＵが保有するポイントで購入可能な有料動画に関する有料動画情報を有料コンテンツ管理サーバ４０から取得する。
【００６５】
具体的に、第２取得部２３２は、ユーザＵ１が保有するポイント数を所定の換金率（例えば、１ポイント＝１円）で換金した金額を有料コンテンツ管理サーバ４０に通知することで、有料コンテンツ管理サーバ４０に対してユーザＵ１が保有するポイントで購入可能な有料動画情報の通知を要求する。
【００６６】
有料コンテンツ管理サーバ４０は、第２取得部２３２から有料動画情報の通知要求を受け取ると、有料動画情報記憶部４２１（図５参照）を参照し、価格が通知された金額以下である有料動画に関する有料動画情報を第２取得部２３２に通知する。
【００６７】
第２取得部２３２は、有料コンテンツ管理サーバ４０から有料動画情報を取得すると、取得した有料動画情報を表示制御部２３４に通知する。なお、有料動画情報には、少なくとも「動画ＩＤ」、「価格」や「動画情報」が含まれるものとする。
【００６８】
なお、第２取得部２３２が、例えば、有効期限が最も短いポイントで購入可能な有料動画に関する有料動画情報を有料コンテンツ管理サーバ４０から取得するようにしてもよい。例えば、図４の例では、ユーザＵ１が保有するポイントのうち、有効期限が「２０１７／１２／３１」である「６７０」ポイントが最も有効期限が短いポイントとなる。そこで、第２取得部２３２は、例えば「６７０」ポイントで購入可能な有料動画情報を有料コンテンツ管理サーバ４０から取得する。
【００６９】
あるいは、第２取得部２３２が、有効期限までの期間が所定期間（例えば、１ヶ月）以下であるポイントで購入可能な有料動画情報を有料コンテンツ管理サーバ４０から取得するようにしてもよい。
【００７０】
このように、第２取得部２３２が、有効期限が切れそうなポイントで購入可能な有料動画情報を取得することで、後述する表示制御部２３４がかかる有料動画情報をユーザＵに提示することができる。これにより、ポイントでの有料動画の販売を促進することができる。
【００７１】
また、第２取得部２３２は、例えばユーザＵが保有するポイントが一定値以上である場合、有料動画情報を有料コンテンツ管理サーバ４０から取得しないようにしてもよい。これは、ユーザＵがポイントを一定値以上保有している場合、別の商品やサービスにかかるポイントを利用したいと考える可能性が高いためである。
【００７２】
なお、一定値は、例えば予め設定された値としてもよく、ユーザＵのポイント利用状況等に応じて可変の値としてもよい。例えば、有料動画をポイントで購入したことがあるユーザＵの場合、かかる一定値が高く設定されるようにしてもよい。あるいは、他の商品やサービスにポイントを利用したことがあるユーザＵの場合、かかる一定値が低く設定されたり、利用したポイントに応じて設定されたりしてもよい。また、有効期限までの期間に応じて一定値が変更されるようにしてもよい。
【００７３】
このように、ユーザＵのポイント利用状況等に応じて一定値が設定されることで、ユーザＵのポイント利用状況等に応じた有料動画の販売を促進することができる。
【００７４】
なお、ここでは、第２取得部２３２が、ユーザＵが保有するポイントで購入可能な有料動画情報を送信するよう有料コンテンツ管理サーバ４０に要求するとしたが、これに限定されない。例えば、第２取得部２３２が、有料コンテンツ管理サーバ４０が管理する有料動画情報を取得し、取得した有料動画情報の中からポイントで購入可能な有料動画情報を選択するようにしてもよい。
【００７５】
〔５．３．３．第３取得部２３３〕
第３取得部２３３は、ユーザＵに提供する無料動画に関する無料動画情報を無料コンテンツ管理サーバ５０から取得する。第３取得部２３３は、例えばユーザＵが過去に視聴した無料動画の無料動画情報や、ユーザＵが興味を持ちそうな無料動画の無料動画情報を無料コンテンツ管理サーバ５０から取得する。なお、第３取得部２３３は、ユーザ情報記憶部２２１が記憶する視聴履歴に基づいて過去に視聴した無料動画情報を取得したり、属性情報に基づいてユーザＵが興味を持ちそうな無料動画情報を取得したりするものとする。あるいは、視聴履歴に含まれる無料動画に類似する無料動画情報を取得するようにしてもよい。なお、無料動画情報には、例えば「動画ＩＤ」や「動画情報」が含まれるものとする。第３取得部２３３は、取得した無料動画情報を表示制御部２３４に通知する。
【００７６】
〔５．３．４．表示制御部２３４〕
表示制御部２３４は、例えば端末装置１０に無料動画提供サービスに関する種々の情報（例えば無料動画情報）を表示させる。また、表示制御部２３４は、第２取得部２３２が取得した有料動画情報を端末装置１０に表示させる。
【００７７】
表示制御部２３４は、例えば端末装置１０が有する画面に、図９に示す画像Ｐを表示させる。図９は、実施形態にかかる表示制御部２３４が端末装置１０に表示させる画像Ｐの一例を示す図である。図９に示すように、端末装置１０に表示させる画像Ｐには、テキストや、無料動画および有料動画のサムネイルの一覧等が含まれる。
【００７８】
例えば、表示制御部２３４は、無料動画情報として無料動画のサムネイルの一覧を、所定のカテゴリに分類して端末装置１０に表示させる。図９に示す例では、表示制御部２３４は、所定のカテゴリとして視聴履歴とユーザＵへのおすすめ無料動画に関する無料動画情報を端末装置１０に表示させている。具体的に、表示制御部２３４は、ユーザＵが過去に視聴した無料動画のサムネイルの一覧を視聴履歴として表示させ、ユーザＵが興味を持ちそうな無料動画のサムネイルの一覧をユーザＵへのおすすめとして表示させている。
【００７９】
また、表示制御部２３４は、無料動画アプリＡ１の表示画面において、ユーザＵが保有するポイントで購入可能な有料動画に関する有料動画情報を表示させる。図９に示す例では、表示制御部２３４は、ユーザＵにおすすめの無料動画一覧の下に、ポイントで購入可能な有料動画のサムネイルの一覧を表示させる。
【００８０】
なお、表示制御部２３４は、取得した有料動画情報全てを端末装置１０に表示させてもよく、例えば有料動画情報やユーザＵに関するユーザ情報に応じた有料動画情報を表示させてもよい。例えば、有料動画情報に「ランキング」が含まれる場合（図６参照）、表示制御部２３４がランキング上位の有料動画に関する有料動画情報を端末装置１０に表示させるようにしてもよい。あるいは、表示制御部２３４が、例えばユーザＵが過去に視聴した無料動画に関連する有料動画など、ユーザ情報に応じて、ユーザＵが興味を持ちそうな有料動画に関する有料動画情報を端末装置１０に表示させるようにしてもよい。
【００８１】
これにより、表示制御部２３４は、無料動画提供サービスを利用するユーザＵに対して有料動画の販売を促進することができる。このとき、ポイントで購入可能な有料動画情報を表示させることで、ユーザＵの有料動画購入に対する抵抗感を低くすることができ、有料動画の販売をより促進することができる。
【００８２】
ここで、図９に示すように、表示制御部２３４は、端末装置１０の画面に有料動画情報の表示を停止させるアイコンＩ（例えば「閉じる」ボタン）を表示させる。例えば、ユーザＵがアイコンＩを押下すると、表示制御部２３４は、有料動画情報の表示を停止し、端末装置１０に有料動画のサムネイルの一覧を表示させない。このように、ユーザＵによる端末装置１０の操作に応じて、有料動画情報の表示を停止させることで、ユーザＵの煩わしさを低減することができ、ユーザＵに対して継続した無料動画提供サービスの利用を促進することができる。
【００８３】
なお、ユーザＵがアイコンＩを押下してから一定期間（例えば１週間）が経過した場合に、表示制御部２３４は、ポイントで購入可能な有料動画情報の表示を再開する。このように、表示制御部２３４が一定期間経過後に有料動画情報を再度表示させることで、ユーザＵの煩わしさを低減させつつ有料動画の販売を促進することができる。
【００８４】
また、図９では、表示制御部２３４が端末装置１０の画面において有料動画情報を無料動画情報の下に表示させるようにしているが、これに限定されない。有料動画情報の表示位置は、例えば端末装置１０の画面の上部、すなわち無料動画情報より上であってもよい。あるいは、表示制御部２３４がユーザＵに関する情報（ユーザ情報）に基づいて有料動画情報の表示位置を変更するようにしてもよい。なお、ユーザ情報は、ユーザ情報記憶部２２１（図７参照）に記憶される種々の情報であるものとする。
【００８５】
具体的に、例えば表示制御部２３４は、過去にポイントを利用したことがあるユーザＵの端末装置１０に有料動画情報を表示させる場合、かかる有料動画情報を画面のより上部に表示させるようにする。これは、過去にポイントを利用したことがあるユーザＵは、ポイントの利用に抵抗感が低く、ポイントを利用して有料動画を購入する可能性が高いと考えられるためである。
【００８６】
また、表示制御部２３４は、例えばユーザＵがアイコンＩを押下して有料動画情報の表示を停止してから所定期間後に再度有料動画情報を表示させる場合、有料動画情報の表示位置を画面のより下部に表示させるようにしてもよい。一度有料動画情報の表示を停止させたユーザＵは、有料動画情報の表示を煩わしく感じた可能性が高いため、有料動画情報を再表示させる場合に、表示制御部２３４が画面のより下部に表示させることで、ユーザＵが有料動画情報の表示を煩わしく感じにくくさせることができる。
【００８７】
あるいは、ポイントの有効期限に応じて有料動画情報の表示位置を変更するようにしてもよい。例えば、表示制御部２３４は、有料動画の購入に使用可能なポイントの有効期限が短いほど端末装置１０の画面上部に有料動画情報が表示されるようにする。これにより、有効期限が切れそうなポイントでユーザＵに有料動画を購入するよう促すことができ、有料動画の販売とポイント利用とを促進することができる。
【００８８】
また、ここでは、無料動画アプリＡ１が起動された場合に、情報処理装置２０がポイントで購入可能な有料動画情報を端末装置１０に表示させるとしたが、これに限定されない。例えば、ユーザＵが無料動画をダウンロードしたり、有料動画情報の表示を要求したりするなど、ユーザＵによる端末装置１０の操作に応じて情報処理装置２０が有料動画情報を表示させるようにしてもよい。
【００８９】
また、ここでは、無料動画アプリＡ１が起動された場合に、表示制御部２３４がポイントで購入可能な有料動画情報を端末装置１０に表示させる、いわゆるプル型の情報配信を行うとしたが、これに限定されない。例えば、ユーザＵによる端末装置１０よらず、表示制御部２３４がプッシュ通知として有料動画情報を端末装置１０に表示させるようにしてもよい。情報処理装置２０は、例えば所定周期で、ポイントで購入可能な有料動画情報を取得し、かかる有料動画情報を端末装置１０にプッシュ通知として表示させるようにする。あるいは、ポイントが増加した場合やポイントの有効期限までの期間が所定期間以下になった場合に、情報処理装置２０は、ポイントで購入可能な有料動画情報を取得し、かかる有料動画情報を端末装置１０にプッシュ通知として表示させるようにしてもよい。
【００９０】
このように、情報処理装置２０がプッシュ通知としてポイントで購入可能な有料動画情報を端末装置１０に表示させることで、ユーザＵによる端末装置１０の操作によらず、かかる有料動画情報をユーザＵに提示することができる。
【００９１】
〔６．情報表示処理〕
次に、図１０を用いて実施形態にかかる情報処理装置２０による情報表示処理の手順について説明する。図１０は、実施形態にかかる情報処理装置２０が実行する情報表示処理の処理手順を示すフローチャートである。情報処理装置２０は、例えば端末装置１０で無料動画アプリＡ１が起動された場合に図１０の処理手順を実行する。
【００９２】
図１０に示すように、情報処理装置２０は、端末装置１０に有料動画情報を表示するか否かを判定する（ステップＳ１０１）。例えば、ユーザＵによって有料動画情報の表示が停止されている場合、情報処理装置２０は、有料動画情報を表示しないと判定し（ステップＳ１０１、Ｎｏ）、ステップＳ１０６に進む。
【００９３】
一方、有料動画情報を表示する場合（ステップＳ１０１、Ｙｅｓ）、情報処理装置２０は、ポイント管理サーバ３０からユーザＵのポイント情報を取得する（ステップＳ１０２）。
【００９４】
続いて、情報処理装置２０は、ポイントに応じた金額の有料動画に関する有料動画情報を有料コンテンツ管理サーバ４０から取得する（ステップＳ１０３）。情報処理装置２０は、ポイントで購入可能な有料動画があるか否かを判定する（ステップＳ１０４）。例えば情報処理装置２０は、ステップＳ１０３で有料コンテンツ管理サーバ４０から有料動画情報を取得できなかった場合に有料動画がないとして（ステップＳ１０４、Ｎｏ）、ステップＳ１０６に進む。なお、有料動画の最低販売価格がわかっている場合、情報処理装置２０が、最低販売価格に基づいて判定するようにしてもよい。
【００９５】
ポイントで購入可能な有料動画情報がある場合（ステップＳ１０４、Ｙｅｓ）、情報処理装置２０は、端末装置１０にかかる有料動画情報を表示させる（ステップＳ１０５）。
【００９６】
次に、情報処理装置２０は、無料動画情報を無料コンテンツ管理サーバ５０から取得する（ステップＳ１０６）。情報処理装置２０は、取得した無料動画情報を端末装置１０に表示させる（ステップＳ１０７）。
【００９７】
〔７．効果〕
上述してきたように、実施形態にかかる情報処理装置２０は、第１取得部（取得部）２３１と、表示制御部２３４とを有する。第１取得部（取得部）２３１は、ユーザＵが保有する特典（ポイント）に関する特典情報（ポイント情報）を取得する。表示制御部２３４は、第１取得部（取得部）２３１が取得した特典情報（ポイント情報）に基づき、ユーザＵが特典（ポイント）で利用可能なデジタルコンテンツ（有料動画）に関するコンテンツ情報（有料動画情報）をユーザＵが利用する端末装置１０に表示させる。
【００９８】
このように、実施形態にかかる情報処理装置２０は、特典で利用可能なデジタルコンテンツを、端末装置１０に表示させることにより、デジタルコンテンツの販売を促進することができる。
【００９９】
また、実施形態にかかる情報処理装置２０において、表示制御部２３４は、コンテンツ情報（有料動画情報）を端末装置１０の画面に表示させる。
【０１００】
これにより、実施形態にかかる情報処理装置２０は、ユーザＵにコンテンツ情報を提示することができ、デジタルコンテンツの販売を促進することができる。
【０１０１】
また、実施形態にかかる情報処理装置２０において、表示制御部２３４は、ユーザＵが無料で利用可能なコンテンツ（無料動画）に関する無料コンテンツ情報（無料動画情報）が表示される画面（無料動画アプリの表示画面）に、コンテンツ情報（有料動画情報）を表示させる。
【０１０２】
このように、実施形態にかかる情報処理装置２０は、無料コンテンツ情報とともにコンテンツ情報を表示させることで、無料コンテンツを利用するユーザＵに対するデジタルコンテンツの販売を促進することができる。
【０１０３】
また、実施形態にかかる情報処理装置２０において、表示制御部２３４は、ユーザＵに関するユーザ情報に基づいて端末装置１０におけるコンテンツ情報（有料動画情報）の表示位置を変更する。
【０１０４】
このように、実施形態にかかる情報処理装置２０は、ユーザ情報に基づきコンテンツ情報の表示位置を変更することで、ユーザＵに与える煩わしさを低減しつつデジタルコンテンツの販売を促進することができる。
【０１０５】
また、実施形態にかかる情報処理装置２０において、表示制御部２３４は、特典（ポイント）の有効期限に応じて端末装置１０におけるコンテンツ情報（有料動画情報）の表示位置を変更する。
【０１０６】
このように、実施形態にかかる情報処理装置２０は、特典の有効期限に応じてコンテンツ情報の表示位置を変更することで、デジタルコンテンツの販売および特典の利用を促進することができる。
【０１０７】
また、実施形態にかかる情報処理装置２０において、表示制御部２３４は、ユーザＵによる端末装置１０の操作によらず、端末装置１０で出力されるプッシュ通知としてコンテンツ情報（有料動画情報）を表示させる。
【０１０８】
このように、実施形態にかかる情報処理装置２０は、プッシュ通知でコンテンツ情報を表示させることで、ユーザＵに応じて適切な態様でコンテンツ情報を表示することができる。
【０１０９】
また、実施形態にかかる情報処理装置２０において、表示制御部２３４は、特典（ポイント）が一定値以上である場合、コンテンツ情報（有料動画情報）を表示させない。
【０１１０】
このように、実施形態にかかる情報処理装置２０は、特典が一定値以上である場合、コンテンツ情報を表示させないことで、ユーザＵが特典を利用する可能性が高い場合にコンテンツ情報をユーザＵに提示することができる。これにより、情報処理装置２０は、デジタルコンテンツの販売をより促進することができる。
【０１１１】
また、実施形態にかかる情報処理装置２０において、表示制御部２３４は、ユーザＵによる端末装置１０の操作に応じて、コンテンツ情報（有料動画情報）の表示を停止する。
【０１１２】
このように、実施形態にかかる情報処理装置２０は、ユーザＵによる端末装置１０の操作に応じて、コンテンツ情報の表示を停止することで、ユーザＵに応じて適切な態様でコンテンツ情報を表示することができる。
【０１１３】
また、実施形態にかかる情報処理装置２０において、表示制御部２３４は、コンテンツ情報（有料動画情報）の表示を停止してから一定期間経過した場合に、コンテンツ情報（有料動画情報）の表示を再開する。
【０１１４】
このように、実施形態にかかる情報処理装置２０は、一定期間経過した場合に、コンテンツ情報の表示を再開することで、デジタルコンテンツの販売をより促進することができる。
【０１１５】
〔８．プログラム〕
上述してきた情報処理装置２０による処理は、本願にかかる情報処理プログラムにより実現される。例えば、情報処理装置２０にかかる表示制御部２３４は、情報処理装置２０が有するＣＰＵやＭＰＵ等によって、情報処理プログラムがＲＡＭを作業領域として、情報処理プログラムにかかる情報処理手順が実行されることにより実現される。情報処理装置２０にかかる他の処理部も同様に、情報処理プログラムによる各手順が実行されることにより実現される。
【０１１６】
なお、本願にかかる情報処理装置２０が実行する処理は、必ずしも全てが情報処理プログラムによって実現されるものでなくてもよい。例えば、情報処理装置２０外の情報等は、情報処理装置２０が有するＯＳ（Operating  System）によって取得されてもよい。すなわち、情報処理プログラム自体が、上述してきたような情報処理装置２０で実行される処理を実行するのではなく、ＯＳによって取得されたデータ（例えば、アプリ情報等を表示するために用いるデータ）を受け取ったりすることにより、上述してきた情報処理装置２０の処理を実現するようにしてもよい。
【０１１７】
〔９．ハードウェア構成〕
上述してきた実施形態にかかる情報処理装置２０は、例えば図１１に示すような構成のコンピュータ１０００によって実現される。図１１は、情報処理装置２０の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１９】
ＨＤＤ１４００は、ＣＰＵ１１００によって実行されるプログラム、及び、かかるプログラムによって使用されるデータ等を格納する。通信インターフェイス１５００は、所定のネットワークＮを介して他の機器からデータを受信してＣＰＵ１１００へ送り、ＣＰＵ１１００が生成したデータを所定のネットワークＮを介して他の機器へ送信する。
【０１２０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２２】
例えば、コンピュータ１０００が実施形態にかかる情報処理装置２０として機能する場合、コンピュータ１０００のＣＰＵ１１００は、ＲＡＭ１２００上にロードされたプログラムを実行することにより、制御部２３０の機能を実現する。コンピュータ１０００のＣＰＵ１１００は、これらのプログラムを記録媒体１８００から読み取って実行するが、他の例として、他の装置から所定のネットワークＮを介してこれらのプログラムを取得してもよい。
【０１２３】
以上、本願の実施形態を図面に基づいて詳細に説明したが、これらは例示であり、発明の開示の行に記載の態様を始めとして、当業者の知識に基づいて種々の変形、改良を施した他の形態で本発明を実施することが可能である。
【０１２４】
〔１０．その他〕
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２６】
また、上述してきた各実施形態に記載された各処理は、処理内容を矛盾させない範囲で適宜組み合わせることが可能である。
【０１２７】
また、上述してきた「部（section、module、unit）」は、「手段」や「回路」などに読み替えることができる。例えば、取得部は、取得手段や取得回路に読み替えることができる。
【符号の説明】
【０１２８】
１０    端末装置
２０    情報処理装置
２１０  通信部
２２０  記憶部
２２１  ユーザ情報記憶部
２３０  制御部
２３１  第１取得部
２３２  第２取得部
２３３  第３取得部
２３４  表示制御部
３０    ポイント管理サーバ
３２１  ポイント情報記憶部
４０    有料コンテンツ管理サーバ
４２１  有料動画情報記憶部
５０    無料コンテンツ管理サーバ
【図１】
2019091119.tif 000003
【図２】
2019091119.tif 000004
【図３】
2019091119.tif 000005
【図４】
2019091119.tif 000006
【図５】
2019091119.tif 000007
【図６】
2019091119.tif 000008
【図７】
2019091119.tif 000009
【図８】
2019091119.tif 000010
【図９】
2019091119.tif 000011
【図１０】
2019091119.tif 000012
【図１１】
2019091119.tif 000013
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
ユーザが保有する特典であるポイントに関する特典情報に基づいて、前記ポイントが一定値未満である場合に、前記ユーザが前記ポイント内で利用可能な商品および／またはサービスに関する情報を取得し、前記ポイントが一定値以上である場合に、前記情報を取得しない取得部と、
前記取得部で取得された前記情報を前記ユーザが利用する端末装置に表示させる表示制御部と、
を備え、
前記一定値は、前記ユーザが前記ポイントを利用したか否かに応じて変更されること
を特徴とする情報処理装置。
【請求項２】
ユーザが保有する特典に関する特典情報に基づき、前記ユーザが前記特典の範囲内で利用可能な商品および／またはサービスに関する情報を取得する取得部と、
前記情報を前記ユーザが利用する端末装置に表示させる表示制御部と、
を備え、
前記表示制御部は、
前記ユーザが前記特典を利用したことがある場合、前記ユーザが前記特典を利用したことがない場合に比べ、前記端末装置における前記情報の表示位置を上位にすること
を特徴とする情報処理装置。
【請求項３】
前記表示制御部は、
前記商品および／または前記サービスとしてコンテンツに関する前記情報を前記ユーザが利用する端末装置に表示させること
を特徴とする請求項１または２に記載の情報処理装置。
【請求項４】
前記表示制御部は、
前記商品および／または前記サービスとしてデジタルコンテンツに関する前記情報を前記ユーザが利用する端末装置に表示させること
を特徴とする請求項１〜３のいずれか一項に記載の情報処理装置。
【請求項５】
前記表示制御部は、
前記情報を前記端末装置の画面に表示させること
を特徴とする請求項１〜４のいずれか一項に記載の情報処理装置。
【請求項６】
前記表示制御部は、
前記情報を、当該情報に対応する前記商品および／または前記サービスを利用したユーザの数が多いほど高い順位で前記端末装置に表示させること
を特徴とする請求項１〜５のいずれか一項に記載の情報処理装置。
【請求項７】
前記表示制御部は、
前記ユーザが無料で利用可能な商品および／または前記サービスに関する無料情報が表示される画面に、前記情報として、前記無料で利用可能な商品および／または前記サービスであって前記ユーザが過去に利用した商品および／または前記サービスに関連し且つ前記ユーザが前記特典で利用可能な商品および／または前記サービスに関する情報を前記端末装置に表示させること
を特徴とする請求項１〜６のいずれか一項に記載の情報処理装置。
【請求項８】
前記表示制御部は、
前記ユーザが無料で利用可能な商品および／またはサービスに関する無料情報が表示される画面に、前記情報を表示させること
を特徴とする請求項１〜６のいずれか一項に記載の情報処理装置。
【請求項９】
前記表示制御部は、
前記ユーザが前記特典を利用したことがある場合、前記ユーザが前記特典を利用したことがない場合に比べ、前記端末装置における前記情報の表示位置を上位にすること
を特徴とする請求項１に記載の情報処理装置。
【請求項１０】
前記表示制御部は、
前記情報の前記商品および／または前記サービスの利用に使用可能な前記特典の有効期限が短いほど、前記端末装置における前記情報の表示位置を上位にすること
を特徴とする請求項１〜９のいずれか一項に記載の情報処理装置。
【請求項１１】
前記表示制御部は、
前記ユーザによる前記端末装置の操作によらず、前記端末装置で出力されるプッシュ通知として前記情報を表示させること
を特徴とする請求項１〜１０のいずれか一項に記載の情報処理装置。
【請求項１２】
前記表示制御部は、
前記特典が一定値以上である場合、前記情報を表示させないこと
を特徴とする請求項２に記載の情報処理装置。
【請求項１３】
前記表示制御部は、
前記ユーザによる前記端末装置の操作に応じて、前記情報の表示を停止すること
を特徴とする請求項１〜１２のいずれか一項に記載の情報処理装置。
【請求項１４】
前記表示制御部は、
前記情報の表示を停止してから一定期間経過した場合に、前記情報の表示を再開すること
を特徴とする請求項１３に記載の情報処理装置。
【請求項１５】
情報処理装置が実行する情報処理方法であって、
ユーザが保有する特典であるポイントに関する特典情報に基づいて、前記ポイントが一定値未満である場合に、前記ユーザが前記ポイント内で利用可能な商品および／またはサービスに関する情報を取得し、前記ポイントが一定値以上である場合に、前記情報を取得しない取得工程と、
前記取得工程で取得された前記情報を前記ユーザが利用する端末装置に表示させる表示制御工程と、
を含み、
前記一定値は、前記ユーザが前記ポイントを利用したか否かに応じて変更されること
を特徴とする情報処理方法。
【請求項１６】
情報処理装置が実行する情報処理方法であって、
ユーザが保有する特典に関する特典情報に基づき、前記ユーザが前記特典の範囲内で利用可能な商品および／またはサービスに関する情報を取得する取得工程と、
前記取得工程で取得された前記情報を前記ユーザが利用する端末装置に表示させる表示制御工程と、
を含み、
前記表示制御工程は、
前記ユーザが前記特典を利用したことがある場合、前記ユーザが前記特典を利用したことがない場合に比べ、前記端末装置における前記情報の表示位置を上位にすること
を特徴とする情報処理方法。
【請求項１７】
ユーザが保有する特典であるポイントに関する特典情報に基づいて、前記ポイントが一定値未満である場合に、前記ユーザが前記ポイント内で利用可能な商品および／またはサービスに関する情報を取得し、前記ポイントが一定値以上である場合に、前記情報を取得しない取得手順と、
前記取得手順で取得された前記情報を前記ユーザが利用する端末装置に表示させる表示制御手順と、
をコンピュータに実行させ、
前記一定値は、前記ユーザが前記ポイントを利用したか否かに応じて変更されること
を特徴とする情報処理プログラム。
【請求項１８】
ユーザが保有する特典に関する特典情報に基づき、前記ユーザが前記特典の範囲内で利用可能な商品および／またはサービスに関する情報を取得する取得手順と、
前記取得手順で取得された前記情報を前記ユーザが利用する端末装置に表示させる表示制御手順と、をコンピュータに実行させ、
前記表示制御手順は、
前記ユーザが前記特典を利用したことがある場合、前記ユーザが前記特典を利用したことがない場合に比べ、前記端末装置における前記情報の表示位置を上位にすること
を特徴とする情報処理プログラム。